【手続補正書】
【提出日】平成31年4月22日(2019.4.22)
【手続補正１】
【補正対象書類名】特許請求の範囲
【補正対象項目名】全文
【補正方法】変更
【補正の内容】
【特許請求の範囲】
【請求項１】
弾性波により動作するマルチプレクサであって、
前記マルチプレクサを少なくとも１つのアンテナと連結するためのアンテナ接続部（ＡＮＴ）と、
少なくとも１つの送信接続部（ＴｘＣ）と、少なくとも１つの受信接続部（ＲｘＣ）と、共通接続部（ＣＣ）と、
前記少なくとも１つの受信接続部（ＲｘＣ）と前記共通接続部（ＣＣ）との間で相互接続され、かつ弾性波により動作する受信フィルタ（ＲＸ）を含む、少なくとも１つの受信パスと、
前記少なくとも１つの送信接続部（ＴｘＣ）と前記共通接続部（ＣＣ）との間で相互接続され、かつ弾性波により動作する送信フィルタ（ＴＸ）を含む、少なくとも１つの送信パスと、
前記送信フィルタ（ＴＸ）と前記共通接続部（ＣＣ）との間で相互接続された少なくとも１つのミラー回路網（ＰＨ）と、ここにおいて、前記ミラー回路網（ＰＨ）は、所定の周波数帯域内の出力反射係数（Ｓ２２）の値が所定の閾値を超過するように前記所定の周波数帯域内の前記少なくとも１つの送信パスのアンテナ側の前記出力反射係数（Ｓ２２）の位相を回転させるよう形成かつ配置され、およびその結果、前記少なくとも１つの送信パスの前記送信フィルタ（ＴＸ）で妨害モード誘発が起こらないままであるか又は低減されるように前記所定の周波数帯域内で信号が反射される、
を備える、マルチプレクサ。
【請求項２】
前記少なくとも１つの受信フィルタ（ＲＸ）及び／又は前記少なくとも１つの送信フィルタ（ＴＸ）は、表面弾性波により、バルク弾性波により又は指向性バルク弾性波により動作する、請求項１に記載のマルチプレクサ。
【請求項３】
前記ミラー回路網（ＰＨ）は、弾性波により動作する共振器（Ｒ）を備える、請求項１〜２のいずれか一項に記載のマルチプレクサ。
【請求項４】
前記ミラー回路網（ＰＨ）は、直列分岐共振器（Ｒ１）と、前記直列分岐共振器（Ｒ１）に並列に接続された誘導素子（Ｌ）と、を備える、請求項１〜３のいずれか一項に記載のマルチプレクサ。
【請求項５】
前記ミラー回路網（ＰＨ）は、直列分岐キャパシタ（Ｃ）と、前記直列分岐キャパシタ（Ｃ）に並列に接続された誘導素子（Ｌ）と、を備える、請求項１〜４のいずれか一項に記載のマルチプレクサ。
【請求項６】
前記ミラー回路網（ＰＨ）は、直列分岐共振器（Ｒ１）と、前記直列分岐共振器（Ｒ１）に並列に接続された誘導素子（Ｌ）と、並列分岐共振器（Ｒ２）と、を備える、請求項１〜５のいずれか一項に記載のマルチプレクサ。
【請求項７】
それぞれ更なる送信フィルタを備えた１つ又は２つ以上の更なる送信パスと、
それぞれ更なる受信フィルタを備えた１つ又は２つ以上の更なる受信パスと、を更に含む、請求項１〜６のいずれか一項に記載のマルチプレクサ。
【請求項８】
前記マルチプレクサは、ダイプレクサ又はトリプレクサ又はクアドプレクサ又はクイントプレクサである、請求項１〜７のいずれか一項に記載のマルチプレクサ。
【手続補正２】
【補正対象書類名】明細書
【補正対象項目名】００５１
【補正方法】変更
【補正の内容】
【００５１】
図１３は、第１の送信パスのアンテナ側の前方透過係数Ｓ２１の数値の推移を、ミラー回路網ＰＨを持たない図８によるクアドプレクサ（破線）及びミラー回路網ＰＨを備えた図８によるクアドプレクサ（実線）に関して示す。前方透過係数Ｓ２１が対向帯域において、すなわち、第２の受信周波数通過帯域ｆＲＸ２の領域及び第２の送信周波数帯域の領域において、妨害モード誘発の防止又は低減に基づいて同様に顕著に改善されていることが明らかに認められる。
以下に本願の出願当初の特許請求の範囲に記載された発明を付記する。
［Ｃ１］
マルチプレクサであって、弾性波により動作し、かつ
−該マルチプレクサを少なくとも１つのアンテナと連結するためのアンテナ接続部（ＡＮＴ）と、
−少なくとも１つの送信接続部（ＴｘＣ）と、少なくとも１つの受信接続部（ＲｘＣ）と、共通接続部（ＣＣ）と、
−該少なくとも１つの受信接続部（ＲｘＣ）と該共通接続部（ＣＣ）との間で相互接続され、かつ弾性波により動作する受信フィルタ（ＲＸ）を含む、少なくとも１つの受信パスと、
−該少なくとも１つの送信接続部（ＴｘＣ）と該共通接続部（ＣＣ）との間で相互接続され、かつ弾性波により動作する送信フィルタ（ＴＸ）を含む、少なくとも１つの送信パスと、
−該少なくとも１つの送信パス及び／又は該少なくとも１つの受信パスのアンテナ側の出力反射係数（Ｓ２２）の位相を所定の周波数帯域において、それぞれの該出力反射係数（Ｓ２２）の数値が該所定の周波数帯域において所定の閾値を超過するように回転させ、また、該所定の周波数帯域において信号を、妨害モード誘発が該少なくとも１つの送信パスの該送信フィルタ（ＴＸ）で、あるいは該少なくとも１つの受信パスの該受信フィルタ（ＲＸ）で起こらないままであるか、又は低減されるまで反射するために形成かつ配置されている、少なくとも１つのミラー回路網（ＰＨ）と、を備える、マルチプレクサ。
［Ｃ２］
前記ミラー回路網（ＰＨ）は、前記少なくとも１つの送信パスにおいて前記送信フィルタ（ＴＸ）にアンテナ側で上流側に接続されており、前記ミラー回路網（ＰＨ）は、前記少なくとも１つの送信パスのアンテナ側の前記出力反射係数（Ｓ２２）の位相を前記所定の周波数帯域において、前記出力反射係数（Ｓ２２）の数値が前記所定の周波数帯域において前記所定の閾値を超過するように回転させ、また、前記所定の周波数帯域において信号を、妨害モード誘発が前記少なくとも１つの送信パスの前記送信フィルタ（ＴＸ）で起こらないままであるか、又は低減されるまで反射するために形成されている、Ｃ１に記載のマルチプレクサ。
［Ｃ３］
前記ミラー回路網（ＰＨ）は、前記アンテナ接続部（ＡＮＴ）と前記共通接続部との間で相互接続されている、Ｃ１に記載のマルチプレクサ。
［Ｃ４］
前記少なくとも１つの受信フィルタ（ＲＸ）及び／又は前記少なくとも１つの送信フィルタ（ＴＸ）は、表面弾性波により、バルク弾性波により又は指向性バルク弾性波により動作する、Ｃ１〜３のいずれか一項に記載のマルチプレクサ。
［Ｃ５］
前記ミラー回路網（ＰＨ）は、弾性波により動作する共振器（Ｒ）を備える、Ｃ１〜４のいずれか一項に記載のマルチプレクサ。
［Ｃ６］
前記ミラー回路網（ＰＨ）は、直列分岐共振器（Ｒ１）と、該直列分岐共振器（Ｒ１）に並列に接続された誘導素子（Ｌ）と、を備える、Ｃ１〜５のいずれか一項に記載のマルチプレクサ。
［Ｃ７］
前記ミラー回路網（ＰＨ）は、直列分岐キャパシタ（Ｃ）と、該直列分岐キャパシタ（Ｃ）に並列に接続された誘導素子（Ｌ）と、を備える、Ｃ１〜６に記載のマルチプレクサ。
［Ｃ８］
前記ミラー回路網（ＰＨ）は、直列分岐共振器（Ｒ１）と、該直列分岐共振器（Ｒ１）に並列に接続された誘導素子（Ｌ）と、並列分岐共振器（Ｒ２）と、を備える、Ｃ１〜７のいずれか一項に記載のマルチプレクサ。
［Ｃ９］
−それぞれ更なる送信フィルタを備えた１つ又は２つ以上の更なる送信パスと、
−それぞれ更なる受信フィルタを備えた１つ又は２つ以上の更なる受信パスと、を更に含む、Ｃ１〜８のいずれか一項に記載のマルチプレクサ。
［Ｃ１０］
前記マルチプレクサは、ダイプレクサ又はトリプレクサ又はクアドプレクサ又はクイントプレクサである、Ｃ１〜９のいずれか一項に記載のマルチプレクサ。